(57)【要約】【課題】電解生成アルカリ性水をアルカリイオン飲用水として提供する電解水生成装置で、電解生成アルカリ性水専用の抽出管路内への細菌類の侵入を阻止して、電解運転を待機している間、上記抽出管路内を好適な衛生状態に維持する。【解決手段】当該電解水生成装置は、アルカリイオン抽出運転モード、および、電解生成アルカリ性水専用の抽出管路内の滞留水を塩素成分含有水に置換する滞留水置換運転モードを備え、アルカリイオン抽出運転モードの実行後に、自動的に滞留水置換運転モードの実行に移行することを不可欠としている。【選択図】    図１
2004283748.tif 000002
【特許請求の範囲】
【請求項１】
有隔膜電解槽、同有隔膜電解槽の各電解室へ被電解水を供給する供給管路、同供給管路に介装された浄水器、前記有隔膜電解槽の陰極室側電解室に接続されて同電解室で生成される電解生成アルカリ性水を抽出する電解生成アルカリ性水専用の第１の抽出管路、前記有隔膜電解槽の陽極室側電解室に接続されて同電解室で生成される電解生成酸性水を抽出する電解生成酸性水専用の第２の抽出管路、および、前記供給管路に一端を接続されて前記浄水器を迂回して同供給管路または前記第１の抽出管路に接続するバイパス管路を備える電解水生成装置であって、塩素成分を含有する飲用に適する原水を前記浄水器にて処理してなる浄水を被電解水とする電解水生成装置であり、当該電解水生成装置は、電解生成アルカリ性水を抽出する電解生成アルカリ性水の抽出運転モード、および、前記原水を前記浄水器を迂回して前記有隔膜電解槽を経由しまたは直接前記第１の抽出管路に設定量供給して同第１の抽出管路内の滞留水を排出し同第１の抽出管路を洗浄する洗浄運転モードを備え、当該電解水生成装置の運転の開始時、前記電解生成アルカリ性水の抽出運転モードに先だって前記洗浄運転モードを実行するように構成されていることを特徴とする電解水生成装置。
【請求項２】
有隔膜電解槽、同有隔膜電解槽の各電解室へ被電解水を供給する供給管路、同供給管路に介装された浄水器、前記有隔膜電解槽の陰極室側電解室に接続されて同電解室で生成される電解生成アルカリ性水を抽出する電解生成アルカリ性水専用の第１の抽出管路、前記有隔膜電解槽の陽極室側電解室に接続されて同電解室で生成される電解生成酸性水を抽出する電解生成酸性水専用の第２の抽出管路、および、前記供給管路に一端を接続されて前記浄水器を迂回して同供給管路または前記第１の抽出管路に接続するバイパス管路を備える電解水生成装置であって、塩素成分を含有する飲用に適する原水を前記浄水器にて処理してなる浄水を被電解水とする電解水生成装置であり、当該電解水生成装置は、電解生成アルカリ性水を抽出する電解生成アルカリ性水の抽出運転モード、および、前記原水を前記浄水器を迂回して前記有隔膜電解槽を経由しまたは直接前記第１の抽出管路に設定量供給して同第１の抽出管路内の滞留水を塩素成分の含有水に置換する滞留水置換運転モードを備え、前記電解生成アルカリ性水の抽出運転モードの実行を待機する場合には、同抽出運転モードの実行終了後に前記滞留水置換運転モードを実行するように構成されていることを特徴とする電解水生成装置。
【請求項３】
有隔膜電解槽、同有隔膜電解槽の各電解室へ被電解水を供給する供給管路、同供給管路に介装された浄水器、前記有隔膜電解槽の陰極室側電解室に接続されて同電解室で生成される電解生成アルカリ性水を抽出する電解生成アルカリ性水専用の第１の抽出管路、前記有隔膜電解槽の陽極室側電解室に接続されて同電解室で生成される電解生成酸性水を抽出する電解生成酸性水専用の第２の抽出管路、および、前記供給管路に一端を接続されて前記浄水器を迂回して同供給管路または前記第１の抽出管路に接続するバイパス管路を備える電解水生成装置であって、塩素成分を含有する飲用に適する原水を前記浄水器にて処理してなる浄水を被電解水とする電解水生成装置であり、当該電解水生成装置は、電解生成アルカリ性水を抽出する電解生成アルカリ性水の抽出運転モード、前記原水を前記浄水器を迂回して前記有隔膜電解槽を経由しまたは直接前記第１の抽出管路に設定量供給して同第１の抽出管路内の滞留水を排出し同第１の抽出管路を洗浄する洗浄運転モード、および、前記原水を前記浄水器を迂回して前記有隔膜電解槽を経由しまたは直接前記第１の抽出管路に設定量供給して同第１の抽出管路内の滞留水を塩素成分の含有水に置換する滞留水置換運転モードを備え、当該電解水生成装置の運転の開始時、前記電解生成アルカリ性水の抽出運転モードに先だって前記洗浄運転モードを実行し、かつ、前記電解生成アルカリ性水の抽出運転モードの実行を待機する場合には同抽出運転モードの実行終了後に前記滞留水置換運転モードを実行するように構成されていることを特徴とする電解水生成装置。
【請求項４】
請求項３に記載の電解水生成装置であり、当該電解水生成装置は電解運転の基本の運転モードとして、前記洗浄運転モード、抽出される電解生成アルカリ性水を収容する容器を洗浄するための洗浄水を設定量抽出する洗浄水抽出運転モード、前記電解生成アルカリ性水の抽出運転モード、および前記滞留水置換運転モードを備え、同滞留水置換運転モードが最後の運転モードとして実行されるように構成されていることを特徴とする電解水生成装置。
【請求項５】
請求項４に記載の電解水生成装置において、前記基本の運転モードの各運転モードを順次実行中、次の運転モードの実行が開始されない場合には、前記滞留水置換運転モードの実行に移行するように構成されていることを特徴とする電解水生成装置。
【請求項６】
請求項１〜５のいずれか一項に記載の電解水生成装置であり、当該電解水生成装置は、前記各運転モードの運転状態の点検や当該電解水生成装置の各部位の点検を行うための試験運転モードを備え、同試験運転モードと前記各運転モードとは選択可能であって、同試験運転モードにおける最後に実行される運転モードが前記滞留水置換運転モードでない場合には、最後の運転モードの実行終了後に前記滞留水置換運転モードの実行に移行するように構成されていることを特徴とする電解水生成装置。
【発明の詳細な説明】
【０００１】
【発明の属する技術分野】
本発明は、電解水生成装置に関する。
【０００２】
【従来の技術】
電解水生成装置の一形式として、有隔膜電解槽、有隔膜電解槽の各電解室へ被電解水を供給する供給管路、供給管路に介装された浄水器、有隔膜電解槽の陰極室側電解室に接続されて同電解室で生成される電解生成アルカリ性水を抽出する電解生成アルカリ性水専用の第１の抽出管路、有隔膜電解槽の陽極室側電解室に接続されて同電解室で生成される電解生成酸性水を抽出する電解生成酸性水専用の第２の抽出管路を備える形式の電解水生成装置がある。
【０００３】
当該形式の電解水生成装置は、主として、アルカリイオン飲用水を提供することを意図したもので、当該電解水生成装置においては、塩素成分を含有する飲用に適する原水、例えば水道水を浄水器にて処理してなる浄水を被電解水として、塩素臭のない美味なアルカリイオン飲用水を提供するものである。
【０００４】
ところで、当該形式の電解水生成装置においては、電解生成アルカリ性水専用の第１の抽出管路内に電解生成アルカリ性水が長時間停滞している場合には、同抽出管路の下流側の抽出口部から細菌類が内部に侵入して繁殖し易く、また、内部に侵入した細菌類の繁殖は抽出口部から抽出管路内へ漸次で拡がって、衛生状態が損なわれるおそれがある。
【０００５】
当該電解水生成装置において、電解生成アルカリ性水の抽出にこのように汚染された状態の第１の抽出管路を使用する場合には、抽出される電解生成アルカリ性水に細菌類が混入し易くて衛生上好ましくはない。このため、細菌類等で汚染された第１の抽出管路を使用することは避けなければならない。これに対処するには、電解生成アルカリ性水専用の第１の抽出管路の下流側抽出口部から細菌類が内部に侵入することを阻止して、その内部での細菌類の繁殖を防止すること（細菌類の侵入防止手段）や、電解生成アルカリ性水を抽出するに先だって第１の抽出管路を洗浄して清浄化すること（洗浄手段）が考えられる。
【０００６】
当該形式の従来の電解水生成装置においては、電解生成アルカリ性水専用の第１の抽出管路内への細菌類の侵入を阻止し、かつ、これに起因する同抽出管路内での細菌類の繁殖を防止する防止手段を施すことが要請されており、この要請に対処するため、当該防止手段を備えた電解水生成装置が「イオン水生成器」の名称で提案されている（特許文献１参照）。
【０００７】
上記した特許文献１にて提案されている電解水生成装置（イオン水生成器）は、被電解水である水道水を有隔膜電解槽へ供給するに先だって浄化処理するための浄水カートリッジを備えた電解水生成装置であって、細菌類の繁殖を防止するための手段として、水道水を浄水カートリッジを迂回して有隔膜電解槽へ供給するバイパス通路と、水道水の通水路を浄水カートリッジ側とバイパス通路側に互いに切換える切替手段と、通水路のバイパス通路側への切替に応じて有隔膜電解槽の各電極への通電を停止する制御手段を備えている。
【０００８】
当該電解水生成装置においては、切替手段を手動で操作することによって水道水の通水路を浄水カートリッジ側に切換えると、電解運転が停止されるとともに、有隔膜電解槽へは浄化処理されない、塩素成分を含有する水道水が供給されて、浄水カートリッジの下流側の通水路内の水が塩素成分の含有水に置換されるものである。
【０００９】
これにより、電解生成アルカリ性水専用の抽出管路内には、塩素成分の含有水が滞留し、同抽出管路内への細菌類の侵入が阻止されて同抽出管路内での細菌類の繁殖が防止され、同抽出管路内は良好な衛生状態に保持される。
【００１０】
【特許文献１】
特開平７−１６５７０号公報
【００１１】
【発明が解決しようとする課題】
ところで、上記した特許文献１にて提案されている電解水生成装置における細菌類の侵入防止手段は、電解運転の終了時点で所定時間以上作動させるものであるが、当該侵入防止手段は切替手段を手動で切替操作することによって作動するものであることから、当該電解水生成装置の使用者は、うっかりミスまたは当該切替操作が不可欠であることを知らないで、電解運転の終了時点で、当該切替手段の手動操作をしないおそれがある。この場合には、当該侵入防止手段は作動せず、電解生成アルカリ性水専用の抽出管路内への細菌類の侵入を阻止する効果は奏し得ない。
【００１２】
特に、当該電解水生成装置は、主に、飲用に適したアルカリイオン飲用水を一般の消費者に提供することを目的としている。このことから、当該電解水生成装置は、消費者が使用し易い場所ではあるが専用の運転者が常駐していない場所に設置され、消費者自身が当該電解水生成装置の運転を行うシステムになっていることが多い。このため、当該侵入防止手段の操作忘れは、頻繁に発生するおそれがある。
【００１３】
従って、本発明の目的は、当該形式の電解水生成装置において、電解生成アルカリ水専用の第１の抽出管路内への細菌類の侵入を防止する侵入防止手段や、同抽出管路を洗浄して清浄化する洗浄手段を、当該電解水生成装置の運転終了時点、および／または運転開始時点で確実に作動させるようにして、当該電解水生成装置が運転を中断している間同抽出管路内を好適な衛生状態に維持し、または、運転開始する時点では同抽出管路内を好適な衛生状態にすることにある。
【００１４】
【課題を解決するための手段】
本発明は電解水生成装置に関するもので、本発明に係る電解水生成装置は、有隔膜電解槽、同有隔膜電解槽の各電解室へ被電解水を供給する供給管路、同供給管路に介装された浄水器、前記有隔膜電解槽の陰極室側電解室に接続されて同電解室で生成される電解生成アルカリ性水を抽出する電解生成アルカリ性水専用の第１の抽出管路、前記有隔膜電解槽の陽極室側電解室に接続されて同電解室で生成される電解生成酸性水を抽出する電解生成酸性水専用の第２の抽出管路を備える形式の電解水生成装置である。
【００１５】
しかして、本発明に係る電解水生成装置は、塩素成分を含有する飲用に適する原水を前記浄水器にて処理してなる浄水を被電解水とするもので、前記供給管路に一端を接続されて前記浄水器を迂回して同供給管路または前記第１の抽出管路に接続するバイパス管路を備える形式の電解水生成装置である。
【００１６】
本発明に係る第１の電解水生成装置は、上記した形式の電解水生成装置であって、電解生成アルカリ性水を抽出する電解生成アルカリ性水の抽出運転モード、および、前記原水を前記浄水器を迂回して前記有隔膜電解槽を経由しまたは直接前記第１の抽出管路に設定量供給して同第１の抽出管路内の滞留水を排出し同第１の抽出管路を洗浄する洗浄運転モードを備え、当該電解水生成装置の運転の開始時、前記電解生成アルカリ性水の抽出運転モードに先だって前記洗浄運転モードを実行するように構成されていることを特徴とするものである。
【００１７】
また、本発明に係る第２の電解水生成装置は、上記した形式の電解水生成装置であって、電解生成アルカリ性水を抽出する電解生成アルカリ性水の抽出運転モード、および、前記原水を前記浄水器を迂回して前記有隔膜電解槽を経由しまたは直接前記第１の抽出管路に設定量供給して同第１の抽出管路内の滞留水を塩素成分の含有水に置換する滞留水置換運転モードを備え、前記電解生成アルカリ性水の抽出運転モードの実行を待機する場合には、同抽出運転モードの実行終了後に前記滞留水置換運転モードを実行するように構成されていることを特徴とするものである。
【００１８】
また、本発明に係る第３の電解水生成装置は、上記した形式の電解水生成装置であって、電解生成アルカリ性水を抽出する電解生成アルカリ性水の抽出運転モード、前記原水を前記浄水器を迂回して前記有隔膜電解槽を経由しまたは直接前記第１の抽出管路に設定量供給して同第１の抽出管路内の滞留水を排出し同第１の抽出管路を洗浄する洗浄運転モード、および、前記原水を前記浄水器を迂回して前記有隔膜電解槽を経由しまたは直接前記第１の抽出管路に設定量供給して同第１の抽出管路内の滞留水を塩素成分の含有水に置換する滞留水置換運転モードを備え、当該電解水生成装置の運転の開始時、前記電解生成アルカリ性水の抽出運転モードに先だって前記洗浄運転モードを実行し、かつ、前記電解生成アルカリ性水の抽出運転モードの実行を待機する場合には同抽出運転モードの実行終了後に前記滞留水置換運転モードを実行するように構成されていることを特徴とするものである。
【００１９】
また、本発明に係るこれらの電解水生成装置においては、前記各運転モードの運転状態の点検や当該電解水生成装置の各部位の点検を行うための試験運転モードを備え、同試験運転モードと前記各運転モードとは選択可能に構成されている場合、同試験運転モードにおける最後に実行される運転モードが前記滞留水置換運転モードでないときには、最後の運転モードの実行終了後に前記滞留水置換運転モードの実行に移行するようにすることができる。
【００２０】
【発明の作用・効果】
本発明に係る第１の電解水生成装置は、電解生成アルカリ性水の抽出運転モード、および、電解生成アルカリ性水専用の第１の抽出管路内の滞留水を塩素成分含有水で排出して洗浄する洗浄運転モードを備えている。当該電解水生成装置においては、運転の開始時、電解生成アルカリ性水の抽出運転モードの実行に先だって洗浄運転モードが実行される。このため、洗浄運転モードの実行終了後に引続き実行される電解生成アルカリ性水の抽出運転モードでは、洗浄された第１の抽出管路から電解生成アルカリ性水を抽出することができる。抽出された電解生成アルカリ性水は、無菌または無菌に近い状態にあって飲用に適したアルカリイオン飲用水となる。
【００２１】
また、本発明に係る第２の電解水生成装置は、電解生成アルカリ性水の抽出運転モード、および、電解生成アルカリ性水専用の第１の抽出管路内の滞留水を排出して当該滞留水を塩素成分含有水に置換する滞留水置換運転モードを備えている。当該電解水生成装置においては、電解生成アルカリ性水の抽出運転モードの実行を待機する場合に、同抽出運転モードの実行終了後に滞留水置換運転モードが実行される。
【００２２】
当該電解水生成装置においては、滞留水置換運転モードの実行により、電解生成アルカリ性水の抽出運転モードの実行を待機している間、電解生成アルカリ性水専用の第１の抽出管路内への細菌類の侵入を阻止することができて、電解生成アルカリ性水の抽出運転モードの再開までの間、当該抽出管路内を好適な衛生状態に維持することができる。このため、再開された電解生成アルカリ性水の抽出運転モードでは、電解生成アルカリ性水を好適な衛生状態の第１の抽出管路から抽出することができる。抽出された電解生成アルカリ性水は、無菌または無菌に近い状態にあって、飲用に適したアルカリイオン飲用水となる。
【００２３】
また、本発明に係る第３の電解水生成装置は、電解生成アルカリ性水の抽出運転モード、電解生成アルカリ性水専用の第１の抽出管路内の滞留水を塩素成分含有水で排出して洗浄する洗浄運転モード、および、電解生成アルカリ性水専用の第１の抽出管路内の滞留水を排出してこれを塩素成分含有水に置換する滞留水置換運転モードを備えている。
【００２４】
当該電解水生成装置においては、運転の開始時にあっては、電解生成アルカリ性水の抽出運転モードの実行に先だって洗浄運転モードが実行され、かつ、電解生成アルカリ性水の抽出運転モードの実行を待機する場合に、同抽出運転モードの実行終了後に滞留水置換運転モードが実行される。このため、当該電解水生成装置では、上記した第１の電解水生成装置および第２の電解水生成装置の作用効果を全て備えるものであり、最適な電解水生成装置であるということができる。
【００２５】
しかして、当該電解水生成装置においては、洗浄運転モードの実行および／または滞留水置換運転モードの実行を必要とする時点では、これを確実に実行するように構成されているため、当該電解水生成装置の運転者（一般消費者等）における、洗浄運転モードの実行忘れや滞留水置換運転モードの実行忘れはあり得ない。
【００２６】
従って、当該電解水生成装置によれば、一般の消費者等、当該電解水生成装置の運転に習熟していない者が運転を行うシステムであっても、電解生成アルカリ性水専用の抽出管路内を好適な衛生状態にし、かつ、抽出管路内を好適な衛生状態維持することができる。また、当該電解水生成装置を運転に習熟している点検者等が行う試験運転に対しても、同様の作用効果を奏するものである。
【００２７】
【発明の実施の形態】
本発明に係る電解水生成装置は、有隔膜電解槽および浄水器を備える形式の電解水生成装置であって、図１には、本発明に係る電解水生成装置の一実施形態を示している。当該電解水製造装置は、有隔膜電解槽の陰極室側電解室で生成される弱アルカリ生成の電解生成アルカリ性水をアルカリイオン飲用水として、一般の消費者に提供するものである。
【００２８】
当該電解水生成装置は、有隔膜電解槽１１を主体とするもので、有隔膜電解槽１１へ被電解水を供給する供給管路２１、有隔膜電解槽１１の陰極側電解室に接続されている第１の抽出管路２２、および、有隔膜電解槽１１の陽極側電解室に接続されている第２の抽出管路２３を備えている。供給管路２１は、先端側にて原水である水道水の供給源に接続され、かつ、後端側の分岐部にて有隔膜電解槽１１の陰極側電解室と陽極側電解室に接続されている。
【００２９】
供給管路２１には、その上流側から、減圧弁１２、軟水器１３、浄水器１４、減圧弁１５が介装されていて、浄水器１４を迂回するバイパス管路２４が接続されている。また、第１の抽出管路２２の下流側には、排水管路２５が接続されている。
【００３０】
各管路においては、第１の抽出管路２２には第１バルブ２６が介装され、第２の抽出管路２３には第２バルブ２７が介装され、バイパス管路２４には第３バルブ２８が介装され、かつ、排水管路２５には第４バルブ２９が介装されている。第１バルブ２６は、電解生成アルカリ性水の抽出および抽出停止をすべく機能し、第２バルブ２７は、電解生成酸性水の抽出および抽出停止をすべく機能し、かつ、第４バルブ２９は、電解生成アルカリ性水の排出および排出停止をすべく機能する。
【００３１】
第１バルブ２６、第２バルブ２７および第４バルブ２９は、それぞれ単独では上記したごとく機能するが、それぞれの動作の適宜の組合わせによって、有隔膜電解槽１１に対する被電解水の供給を制御すべく機能する。また、第３バルブ２８は、その開閉動作によって、原水である水道水（以下単に水道水ということがある）を、浄水器１４側またはこれを迂回して減圧弁１５側への導入を選択すべく機能する。
【００３２】
当該電解水生成装置を構成する浄水器１４は、原水である水道水が含有する塩素成分や汚濁成分を除去して浄水とし、これを被電解水として有隔膜電解槽１１に供給すべく機能する。当該浄水器１４は、換言すれば、飲用に適した塩素臭のない美味のアルカリイオン飲用水の生成に適した被電解水を生成すべく機能する。但し、被電解水である当該浄水は、水道水中の塩素成分を除去されているものであることから、殺菌能を有していない。
【００３３】
当該電解水生成装置を構成する有隔膜電解槽１１は、隔膜にて区画されて形成されている陰極側電解室と陽極側電解室を備え、電解運転によって、陰極側電解室では弱アルカリ性のアルカリ性水（電解生成アルカリ性水）を生成し、かつ、陽極側電解室では弱酸性の酸性水（電解生成酸性水）を生成する。電解生成アルカリ性水は、アルカリイオン飲用水として、第１の抽出管路２２を通して抽出される。また、電解生成酸性水は、第２の抽出管路２３を通して抽出されて廃棄処分にされるか、または、必要により、殺菌水として適宜使用される。
【００３４】
当該電解水生成装置は、後述する各運転モードの実行を選択するための各選択スイッチを配設した操作盤３０ａを備えるとともに、選択された運転モードを実行するための制御装置３０ｂを備えている。
【００３５】
制御装置３０ｂは、当該電解水生成装置の以下に示す運転モード（５種類の運転モード）を実行するための運転制御プログラムを備えている。すなわち、第１の運転モードは、当該電解水生成装置の運転開始時に他の運転モードに先だって、塩素成分の含有水を第１の抽出管路２２に設定量供給して第１の抽出管路２２内の滞留水を排出し、同抽出管路２２内を洗浄する洗浄運転モードである。
【００３６】
第２の運転モードは、アルカリイオン飲用水を設定量抽出するアルカリイオン飲用水の自動抽出運転モードであり、第３の運転モードは、アルカリイオン飲用水を所望量抽出するアルカリイオン飲用水の手動抽出運転モードであり、第４の運転モードは上記したアルカリイオン飲用水の自動抽出と手動抽出を合わせた自動−手動抽出運転モードである。
【００３７】
第５の運転モードは、塩素成分の含有水を第１の抽出管路２２に設定量供給して第１の抽出管路２２に滞留する塩素成分を含有しない滞留水を排出し、同滞留水を塩素成分の含有水に置換する滞留水置換運転モードである。
【００３８】
当該電解水生成装置の運転モードでは、洗浄運転モードと、アルカリイオン飲用水の自動抽出運転モード、アルカリイオン飲用水の手動抽出運転モード、アルカリイオン飲用水の自動−手動抽出運転モードから選択されるアルカリイオン飲用水の抽出運転モードと、滞留水置換運転モードとを実行することを基本の運転モード（営業運転モード）に設定されている。また、当該電解水生成装置では、当該営業運転モードに加えて、第６の運転モードとして試験運転モードを備えている。
【００３９】
試験運転モードは、上記した基本の運転モードである営業運転モードの設定を解除して、上記した各運転モードや、設定されている試験項目に対応した他の各運転モードを独立して実行可能としたもので、上記した各運転モードの運転状態を点検し、また、当該電解水生成装置を構成する各バルブやその他の部品を点検するために機能するものである。
【００４０】
操作盤３０ａは、切替スイッチ３１および切替状態表示ランプ３１ａ，３１ｂ、始動スイッチ３２および始動表示ランプ３２ａ、第１選択スイッチ３３およびその表示ランプ３３ａ，３３ｂ、第２選択スイッチ３４およびその表示ランプ３４ａ，３４ｂ、第３選択スイッチ３５およびその表示ランプ３５ａ，３５ｂを備えている。
【００４１】
切替スイッチ３１は、運転モードを営業運転モードまたは試験運転モードに選択するもので、切替スイッチ３１の切替操作によって、営業運転モードおよび試験運転モードを選択すべき指示信号を制御装置３０ｂに出力する。制御装置３０ｂは、当該選択指示信号に基づいて運転モードを選択して、当該運転モードを実行する。選択された運転モードは、切替状態表示ランプ３１ａ，３１ｂの一方を点灯することによって表示される。なお、通常、切替スイッチ３１は営業運転モード側に選択された切替状態にロックされていて、消費者等の一般人による試験運転モード側への切替えが不能になっている。
【００４２】
始動スイッチ３２は、当該電解水生成装置の運転を始動するためのスイッチであり、スイッチ操作により、当該電解水生成装置の運転を始動すべき指示信号を制御装置３０ｂに出力する。制御装置３０ｂは、当該指示信号に基づいて、洗浄運転モードを実行する。始動スイッチ３２のスイッチ操作により、切替スイッチ３１の切替状態表示ランプ３１ａ（営業運転側表示ランプ）、および、始動スイッチ３２の始動表示ランプ３２ａがそれぞれ点灯する。
【００４３】
第１選択スイッチ３３は、アルカリイオン飲用水の自動抽出運転モードを選択するスイッチであり、スイッチ操作により、アルカリイオン飲用水の自動抽出運転モードを実行すべき指示信号を制御装置３０ｂに出力する。制御装置３０ｂは、当該指示信号に基づいて、当該自動抽出運転モードを実行する。第１選択スイッチ３３のスイッチ操作により、抽出の準備表示ランプ３３ａが点灯し、所定時間経過後には、準備表示ランプ３３ａは消灯して抽出表示ランプ３３ｂが点灯する。
【００４４】
第２選択スイッチ３４は、アルカリイオン飲用水の手動抽出運転モードを選択するもので、スイッチ操作により、当該手動抽出運転モードを実行すべき指示信号を制御装置３０ｂに出力する。制御装置３０ｂは、当該指示信号に基づいて、当該手動抽出運転モードを実行する。第２選択スイッチ３４のスイッチ操作により、抽出の準備表示ランプ３４ａが点灯し、所定時間経過後には、準備表示ランプ３４ａは消灯して抽出表示ランプ３４ｂが点灯する。
【００４５】
第３選択スイッチ３５は、アルカリイオン飲用水の自動−手動抽出運転モードを選択するもので、スイッチ操作により、当該自動−手動抽出運転モードを実行すべき指示信号を制御装置３０ｂに出力する。制御装置３０ｂは、当該指示信号に基づいて、当該自動−手動抽出運転モードを実行する。第３選択スイッチ３５のスイッチ操作により、抽出の準備表示ランプ３５ａが点灯し、所定時間経過後には、準備表示ランプ３５ａは消灯して抽出表示ランプ３５ｂが点灯する。
【００４６】
制御装置３０ｂは、上記した各運転モードを実行するための運転制御プログラムを備えており、各運転制御プログラムにおける時間的条件は、点検者が操作盤３０ａに配設されたタイマーを調整操作することによって、任意に設定できるようになっている。
【００４７】
制御装置３０ｂにおいては、各スイッチ３２〜３５のスイッチ操作によって出力する選択指令信号をインタフェースを介して取込み、ＣＰＵは、取込んだ各指令信号に基づいて当該電解水生成装置の作動すべき状態を判定し、作動すべき運転モードに応じた指令信号をインタフェースを介して駆動回路に出力する。駆動回路は、ＣＰＵからの指令信号に基づいて、各バルブ２６〜２９を開閉制御するとともに、有隔膜電解槽１１の各電解室に配置されている各電極への電流の印加を制御して、選択された運転モードを実行する。
【００４８】
当該電解水生成装置は、制御装置３０ｂが備える運転制御プログラムに特徴を有していて、特に、洗浄運転モードおよび滞留水置換運転モードは運転者（消費者）の選択によることなく、設定されたタイミングで自動的に実行されることに最大の特徴がある。当該制御装置３０ｂを構成するマイクロコンピュータは、選択された運転モードに対応する運転制御プログラムを、図２〜図１１のいずれかに示すフローチャートに基づいて実行する。
【００４９】
図２は、運転開始時に他の運転モードに先だって行う洗浄運転モード（第１の運転モード）の運転制御プログラムを実行するためのフローチャートである。図３および図４は、アルカリイオン飲用水を設定量抽出するアルカリイオン飲用水の自動抽出運転モード（第２の運転モード）の運転制御プログラムを実行するためのフローチャートである。図５および図６は、アルカリイオン飲用水を所望量抽出するアルカリイオン飲用水の手動抽出運転モード（第３の運転モード）の運転制御プログラムを実行するためのフローチャートである。
【００５０】
図７〜図９は、アルカリイオン飲用水を設定量抽出するとともに、その後に任意の量を抽出して抽出量を補足するアルカリイオン飲用水の自動−手動抽出運転モード（第４の運転モード）の運転制御プログラムを実行するためのフローチャートである。  図１０は、第２〜第４の運転モードの終了後になされる、滞留水置換運転モード（第５の運転モード）の運転制御プログラムを実行するためのフローチャートである。
【００５１】
これらの各フローチャートは、営業運転モードを構成する各運転モードの運転制御プログラムを実行するためのフローチャートであるが、図１１に示すフローチャートは、試験運転モード（第６の運転モード）の運転制御プログラムを実行するためのフローチャートである。
【００５２】
当該電解水生成装置においては、通常、切替スイッチ３１は営業運転側へ切替えられてロック状態にあり、運転停止状態では、全ての表示ランプは消灯し、かつ、各バルブ２６〜２９は閉鎖している。また、当該電解水生成装置においては、操作盤３０ａにおける各スイッチ３２〜３５の近傍に、各スイッチ３２〜３５のスイッチ操作により選択される運転モードが明確に表示してあって、消費者が所望の運転モードを確実に選択することができるように配慮されている。
【００５３】
アルカリイオン飲用水を所望する消費者は、当該電解生成装置が営業運転停止状態にある場合、当該電解生成装置を運転開始すべく、始動スイッチ３２をＯＮ操作する。これにより、営業表示ランプ３１ａおよび始動表示ランプ３２ａが点灯して営業運転が開始され、制御装置３０ｂは、洗浄運転モードの運転制御プログラムを、図２に示すフローチャートに基づいて実行する。
【００５４】
制御装置３０ｂを構成するマイクロコンピュータは、始動スイッチ３２のＯＮ操作により動作して、ステップ１０１にて、第２バルブ２７、第３バルブ２８および第４バルブ２９を開放するとともに、洗浄タイマーによる洗浄時間の計測を開始する。これにより、水道水が、主としてバイパス管路２４および有隔膜電解槽１１を経て第１の抽出管路２２、第２の抽出管路２３および排水管路２５に流入し、各管路２２，２３，２５内の滞留水を第２の抽出管路２３および排水管路２５の第２，第４バルブ２７，２９を通して排出し、当該滞留水を、水道水を主とする水に置換する。
【００５５】
マイクロコンピュータは、次いで、運転制御プログラムをステップ１０２に進めて、ステップ１０２にて、洗浄タイマーによる計測時間ｔ１を判定する。マイクロコンピュータは、計測時間ｔ１が設定されている洗浄時間Ｔ１に達しているものと判定した場合には、運転制御プログラムをステップ１０３に進め、ステップ１０３では、第２バルブ２７、第３バルブ２８および第４バルブ２９を閉鎖する。また、洗浄タイマーによる洗浄時間の計測を停止する。
【００５６】
設定されている洗浄時間Ｔ１は、浄水器１４以降の水経路に滞留している滞留水を排出するに十分な時間であって、これにより、浄水器１４以降の水経路の洗浄が完了する。各管路２２，２３，２５内の洗浄も当然に完了する。この間、消費者は、排出される滞留水を利用して、持参したアルカリイオン飲用水用の容器を予備洗浄することもできる。
【００５７】
マイクロコンピュータは、次いで、制御プログラムをステップ１０４に進めて、ステップ１０４にて、各選択スイッチ３３，３４，３５の操作状態（ＯＮ−ＯＦＦ）を判定し、各選択スイッチ３３，３４，３５のいずれかがＯＮ状態にあると判定した場合には、ステップ１０５にて、選択された運転モードの運転制御プログラムを実行する。すなわち、マイクロコンピュータは、洗浄運転モードの実行を終了して、選択された運転モードの実行に移行する。各選択スイッチ３３，３４，３５のスイッチ操作は、当該電解水生成装置を運転する消費者が行う。
【００５８】
マイクロコンピュータは、ステップ１０４にて、各選択スイッチ３３，３４，３５のいずれもがＯＦＦ状態にあるもと判定した場合には、ステップ１０６にて、始動スイッチ３２の操作状態（ＯＮ−ＯＦＦ）を判定し、始動スイッチ３２がＯＦＦ状態にある場合には、ステップ１０７にて運転制御プログラムの実行を終了して当該電解水生成装置の運転を停止する。マイクロコンピュータは、ステップ１０６にて、始動スイッチ３２がＯＮ状態にあるものと判定した場合には、運転制御プログラムをステップ１０４に戻す。
【００５９】
消費者は、始動スイッチ３２のＯＮ操作と同時にまたはその後に、各選択スイッチ３３，３４，３５を選択的にスイッチ操作して、実行すべき運転モードを選択する。制御装置３０ｂは、上記したように、実行すべき運転モードが選択されていない場合には、洗浄運転モードの実行を終了して当該電解水生成装置の運転を停止するが、実行すべき運転モードが選択されている場合には、洗浄運転モードの実行に引続いて、選択されている運転モードの運転制御プログラムを、図３〜図１０のいずれかに基づいて実行する。
【００６０】
当該電解水生成装置において、アルカリイオン飲用水の自動抽出運転モードが選択されている場合（第１選択スイッチ３３ＯＮ）には、制御装置３０ｂは、表示ランプのうちの準備表示ランプ３３ａを先ず点灯させて、抽出の準備段階にあることを表示して、アルカリイオン飲用水の自動抽出運転モードの運転制御プログラムを、図３および図４に示すフローチャートに基づいて実行する。マイクロコンピュータは、ステップ２０１にて、第１バルブ２６および第２バルブ２７を開放するとともに電極に電流を印加し、かつ、排水タイマーによる排水時間の計測を開始する。
【００６１】
これにより、当該電解水生成装置においては、原水である水道水が軟水器１３を経由して浄水器１４に導入され、水道水は塩素成分やその他の汚染物質を除去されて浄水となる。当該浄水は、被電解水として有隔膜電解槽１１に供給され、供給された被電解水は有隔膜電解槽１１にて電気分解を受けて、陰極室側電解室では弱アルカリ性の電解生成アルカリ性水が生成され、かつ、陽極室側電解室では弱酸性の電解生成酸性水が生成される。
【００６２】
生成された電解生成アルカリ性水は、第１の抽出管路２２を経由して、管路内に滞留している塩素成分含有水とともに、第１バルブ２６を通して抽出され、また、生成された電解生成酸性水は、第２の抽出管路２３を経由して、管路内に滞留している塩素成分含有水とともに、第２バルブ２７を通して抽出される。第１バルブ２６を通して抽出された電解生成アルカリ性水は、消費者が持参した容器を洗浄するための洗浄水として使用される。
【００６３】
マイクロコンピュータは、次いで、運転制御プログラムをステップ２０２に進め、ステップ２０２にて、排水タイマーによる計測時間ｔ２が設定されている排水時間Ｔ２（第１の排水時間）に達しているか否かを判定し、計測時間ｔ２が設定されている排水時間Ｔ２に達しているものと判定した場合には、運転制御プログラムをステップ２０３に進める。なお、排水時間Ｔ２は、容器の洗浄に要する洗浄水が所定量抽出し得る時間に設定されている。
【００６４】
マイクロコンピュータは、ステップ２０３では、第１バルブ２６を閉鎖するとともに第４バルブ２９を開き、ステップ２０４にて、排水タイマーによる計測時間ｔ３が設定されている排水時間Ｔ３（第２の排水時間）に達しているか否かを判定し、計測時間ｔ３が設定されている排水時間Ｔ３に達しているものと判定した場合には、運転制御プログラムをステップ２０５、およびステップ２０６に進める。なお、排水時間Ｔ３は、設定量の洗浄水が抽出した後に水経路に残存する滞留水を排出するに要する時間に設定されている。
【００６５】
マイクロコンピュータは、ステップ２０５では、第２バルブ２７および第４バルブ２９を閉鎖し、排水タイマーによる排水時間の計測を停止するとともに、待機タイマーによる待機時間の計測を開始し、第１選択スイッチ３３を一旦ＯＦＦにする。この際には、準備表示ランプ３３ａは消灯し、抽出表示ランプ３３ｂが点灯する。その後、マイクロコンピュータは、ステップ２０６にて、第１選択スイッチ３３のスイッチ操作状態を判定し、第１選択スイッチ３３が消費者によってＯＮされたものと判定した場合には、運転制御プログラムを図４に示すフローチャトへ移行させる。
【００６６】
また、マイクロコンピュータは、ステップ２０６にて、第１選択スイッチ３３がＯＦＦの状態にあるものと判定した場合には、ステップ２０７にて待機タイマーによる計測時間ｔ４が設定されている待機時間Ｔ４に達しているか否かを判定し、計測時間ｔ４が設定されている待機時間Ｔ４に達しているものと判定した場合には、運転制御プログラムをステップ２０８に進め、ステップ２０８にて、待機タイマーによる待機時間の計測を停止するとともに抽出表示ランプ３３ｂを消灯して、運転制御プログラムを滞留水置換運転モードに移行させる。
【００６７】
消費者は、操作盤３０ａにおける抽出表示ランプ３３ｂの点灯に基づき第１選択スイッチ３３をＯＮ操作すると、マイクロコンピュータは、ステップ２０６にて、第１選択スイッチ３３がＯＮしているものと判定し、運転制御プログラムを図４に示すステップ２０９に進めるとともに、ステップ２１０に進める。
【００６８】
マイクロコンピュータは、ステップ２０９では、抽出タイマーによる抽出時間の計測を開始するとともに待機タイマーによる待機時間の計測を停止し、第１バルブ２６および第２バルブ２７を開放する。
【００６９】
これにより、当該電解水生成装置においては、水道水は浄水器１４で浄化されて被電解水として有隔膜電解槽１１に供給され、有隔膜電解槽１１の陰極室側電解室で生成された電解生成アルカリ性水は、第１の抽出管路２２の抽出口部からアルカリイオン飲用水として抽出され、抽出されたアルカリイオン飲用水は、消費者持参の容器に注入される。また、有隔膜電解層１１の陽極室側電解室で生成された電解生成酸性水は、第２の抽出管路２３の抽出口部から抽出され、備付けの容器に収容されまたは排水される。
【００７０】
また、マイクロコンピュータは、ステップ２１０では、抽出タイマーによる計測時間ｔ５が設定されている抽出時間Ｔ５に達しているか否かを判定し、計測時間ｔ５が設定されている抽出時間Ｔ５に達しているものと判定した場合には、運転制御プログラムをステップ２１１に進めるとともに、ステップ２１２に進める。
【００７１】
マイクロコンピュータは、ステップ２１１では、第１バルブ２６および第２バルブ２７を閉鎖するとともに電極に対する電流印加を停止し、かつ、抽出タイマーによる計測を停止するとともに待機タイマーによる待機時間の計測を開始する。また、第１選択スイッチ３３をＯＦＦにして抽出ランプ３３ｂを消灯して、消費者にアルカリイオン飲用水の抽出過程が終了したことを示す。なお、抽出時間Ｔ５は、想定した容量の容器に収容し得るアルカリイオン飲用水の量により適宜設定される時間であり、例えば、アルカリイオン飲用水の必要量を３Ｌとすることができる。
【００７２】
マイクロコンピュータは、ステップ２１２では、待機タイマーによる計測時間ｔ４が設定されている待機時間Ｔ４に達しているか否かを判定し、計測時間ｔ４が設定されている待機時間Ｔ４に達しているものと判定した場合には、運転制御プログラムをステップ２１３に進め、ステップ２１３にて、待機タイマーによる待機時間の計測を停止するとともに抽出表示ランプ３３ｂを消灯して、運転制御プログラムを滞留水置換運転モードに移行させる。
【００７３】
また、マイクロコンピュータは、ステップ２１２にて、計測時間ｔ４が設定されている待機時間Ｔ４に達していないものと判定した場合には、運転制御プログラムをステップ２１４に進め、ステップ２１４にて、第１選択スイッチ３３のスイッチ操作状態を判定する。マイクロコンピュータは、第１選択スイッチ３３がＯＦＦ状態であると判定した場合には運転制御プログラムをステップ２１２に戻し、第１選択スイッチ３３がＯＮ状態にあると判定した場合には、ステップ２１５にて電極に電流を印加して、運転制御プログラムをステップ２０９に戻して、運転制御プログラムを繰り返し実行する。
【００７４】
当該電解水生成装置において、アルカリイオン飲用水の手動抽出運転モードが選択されている場合（第２選択スイッチ３４ＯＮ）には、制御装置３０ｂは、表示ランプのうちの準備表示ランプ３４ａを先ず点灯させて、抽出の準備段階にあることを表示して、アルカリイオン飲用水の手動抽出運転モードの運転制御プログラムを、図５および図６に示すフローチャートに基づいて実行する。
【００７５】
マイクロコンピュータは、ステップ３０１にて、第１バルブ２６および第２バルブ２７を開放するとともに電極に電流を印加し、かつ、排水タイマーによる排水時間の計測を開始する。これにより、当該電解水生成装置においては、原水である水道水が軟水器１３を経由して浄水器１４に導入され、水道水は塩素成分やその他の汚染物質を除去されて浄水となる。当該浄水は、被電解水として有隔膜電解槽１１に供給され、供給された被電解水は有隔膜電解槽１１にて電気分解を受けて、陰極室側電解室では弱アルカリ性の電解生成アルカリ性水が生成され、かつ、陽極室側電解室では弱酸性の電解生成酸性水が生成される。
【００７６】
生成された電解生成アルカリ性水は、第１の抽出管路２２を経由して、管路内に滞留している塩素成分含有水とともに、第１バルブ２６を通して抽出され、また、生成された電解生成酸性水は、第２の抽出管路２３を経由して、管路内に滞留している塩素成分含有水とともに、第２バルブ２７を通して抽出される。第１バルブ２６を通して抽出された電解生成アルカリ性水は、消費者が持参した容器を洗浄するための洗浄水として使用される。
【００７７】
マイクロコンピュータは、次いで、運転制御プログラムをステップ３０２に進め、ステップ３０２にて、排水タイマーによる計測時間ｔ２が設定されている排水時間Ｔ２（第１の排出時間）に達しているか否かを判定し、計測時間ｔ２が設定されている排水時間Ｔ２に達しているものと判定した場合には、運転制御プログラムをステップ３０３に進めるとともに、ステップ３０４に進める。
【００７８】
マイクロコンピュータは、ステップ３０３では、第１バルブ２６を閉鎖するとともに第４バルブ２９を開き、ステップ３０４にて、排水タイマーによる計測時間ｔ３が設定されている排水時間Ｔ３（第２の排水時間）に達しているか否かを判定し、計測時間ｔ３が設定されている排水時間Ｔ３に達しているものと判定した場合には、運転制御プログラムをステップ３０５およびステップ３０６に進める。なお、排水時間Ｔ３は、設定量の洗浄水が抽出した後に水経路に残存する滞留水を排出するに要する時間に設定されている。
【００７９】
マイクロコンピュータは、ステップ３０５では、第２バルブ２７および第４バルブ２９を閉鎖し、排水タイマーによる排水時間の計測を停止するとともに、待機タイマーによる待機時間の計測を開始し、第２選択スイッチ３４を一旦ＯＦＦにする。この際には、準備表示ランプ３４ａは消灯し、抽出表示ランプ３４ｂが点灯する。その後、マイクロコンピュータは、ステップ３０６にて、第２選択スイッチ３４のスイッチ操作状態を判定し、第２選択スイッチ３４がＯＮしているものと判定した場合には、運転制御プログラムを図６に示すフローチャトへ移行させる。
【００８０】
また、マイクロコンピュータは、ステップ３０６にて、第２選択スイッチ３４がＯＦＦの状態にあるものと判定した場合には、ステップ３０７にて待機タイマーによる計測時間ｔ４が設定されている待機時間Ｔ４に達しているか否かを判定し、計測時間ｔ４が設定されている待機時間Ｔ４に達しているものと判定した場合には、運転制御プログラムをステップ３０８に進め、ステップ３０８にて、待機タイマーによる待機時間の計測を停止するとともに抽出表示ランプ３４ｂを消灯して、運転制御プログラムを滞留水置換運転モードに移行させる。
【００８１】
消費者は、操作盤３０ａにおける抽出表示ランプ３４ｂの点灯に基づき第２選択スイッチ３４をＯＮ操作すると、マイクロコンピュータは、ステップ３０６にて、第２選択スイッチ３４がＯＮしているものと判定し、運転制御プログラムを図６に示すステップ３０９に進める。マイクロコンピュータは、ステップ３０９では、待機タイマーによる待機時間の計測を停止するとともに、第１バルブ２６および第２バルブ２７を開放する。
【００８２】
これにより、当該電解水生成装置においては、有隔膜電解槽１１で生成された電解生成アルカリ性水は、第１の抽出管路２２の抽出口部からはアルカリイオン飲用水として抽出され、抽出されたアルカリイオン飲用水は、持参の容器に注入される。また、有隔膜電解層１１で生成された電解生成酸性水は、第２の抽出管路２３の抽出口部から抽出され、備付けの容器に収容されまたは排水される。
【００８３】
マイクロコンピュータは、次いで、運転制御プログラムをステップ３１０に進め、ステップ３１０にて、第２選択スイッチ３４のスイッチ操作状態を判定し、第２選択スイッチ３４がＯＦＦ状態であると判定した場合には、運転制御プログラムをステップ３１１に進めるとともにステップ３１２に進める。
【００８４】
マイクロコンピュータは、ステップ３１１では、第１，第２バルブ２６，２７を閉鎖するとともに電極に対する電流印加を停止し、かつ、待機タイマーによる待機時間の計測を開始する。また、ステップ３１２では、待機タイマーによる計測時間ｔ４の判定を行い、計測時間ｔ４が設定されている待機時間Ｔ４に達しているものと判定した場合には、運転制御プログラムをステップ３１３に進め、ステップ３１３にて、待機タイマーによる待機時間の計測を停止するとともに、運転制御プログラムを滞留水置換運転モードへ移行させる。マイクロコンピュータは、ステップ３１２にて、計測時間ｔ４が設定されている待機時間Ｔ４に達していないものと判定した場合には、運転制御プログラムをステップ３１４に進める。
【００８５】
マイクロコンピュータは、ステップ３１４では、第２選択スイッチ３４のスイッチ操作状態を判定し、第２選択スイッチ３４がＯＮ状態にあるものと判定した場合には、ステップ３１５にて電極に電流を印加して、運転制御プログラムをステップ３０９に戻し、運転制御プログラムを繰り返し実行する。また、マイクロコンピュータは、ステップ３１４にて、第２選択スイッチ３４がＯＦＦ状態にあるものと判定した場合には、運転制御プログラムをステップ３１２に戻し、運転制御プログラムを繰り返し実行する。
【００８６】
これにより、当該電解水生成装置においては、アルカリイオン飲用水の自動抽出運転モードと同様、有隔膜電解槽１１で生成された電解生成アルカリ性水は、第１の抽出管路２２の抽出口部からはアルカリイオン飲用水として、一度にまたは繰り返し断続的に抽出され、消費者は、抽出された所望量のアルカリイオン飲用水を持参の容器に注入して得ることができる。
【００８７】
当該電解水生成装置において、アルカリイオン飲用水の自動−手動抽出運転モードが選択されている場合（第３選択スイッチ３５ＯＮ）には、制御装置３０ｂは、表示ランプのうちの準備表示ランプ３５ａを先ず点灯させて、抽出の準備段階にあることを表示して、アルカリイオン飲用水の自動−手動抽出運転モードの運転制御プログラムを、図７〜図９に示すフローチャートに基づいて実行する。マイクロコンピュータは、ステップ４０１にて、第１バルブ２６および第２バルブ２７を開放するとともに電極に電流を印加し、かつ、排水タイマーによる排水時間の計測を開始する。
【００８８】
これにより、当該電解水生成装置においては、原水である水道水が軟水器１３を経由して浄水器１４に導入され、水道水は塩素成分やその他の汚染物質を除去されて浄水となる。当該浄水は、被電解水として有隔膜電解槽１１に供給され、供給された被電解水は有隔膜電解槽１１にて電気分解を受けて、陰極室側電解室では弱アルカリ性の電解生成アルカリ性水が生成され、かつ、陽極室側電解室では弱酸性の電解生成酸性水が生成される。
【００８９】
生成された電解生成アルカリ性水は、第１の抽出管路２２を経由して、管路内に滞留している塩素成分の有水とともに、第１バルブ２６を通して抽出され、また、生成された電解生成酸性水は、第２の抽出管路２３を経由して、管路内に滞留している塩素成分含有水とともに、第２バルブ２７を通して抽出される。第１バルブ２６を通して抽出された電解生成アルカリ性水は、消費者が持参した容器を洗浄するための洗浄水として使用される。
【００９０】
マイクロコンピュータは、次いで、運転制御プログラムをステップ４０２に進め、ステップ４０２にて、排水タイマーによる計測時間ｔ２が設定されている排水時間Ｔ２（第１の排出時間）に達しているか否かを判定し、計測時間ｔ２が設定されている排水時間Ｔ２に達しているものと判定した場合には、運転制御プログラムをステップ４０３に進めるとともに、ステップ４０４に進める。
【００９１】
マイクロコンピュータは、ステップ４０３では、第１バルブ２６を閉鎖するとともに第４バルブ２９を開き、ステップ４０４にて、排水タイマーによる計測時間ｔ３が設定されている排水時間Ｔ３（第２の排水時間）に達しているか否かを判定し、計測時間ｔ３が設定されている排水時間Ｔ３に達しているものと判定した場合には、運転制御プログラムをステップ４０５およびステップ４０６に進める。
【００９２】
マイクロコンピュータは、ステップ４０５では、第２バルブ２７および第４バルブ２９を閉鎖し、排水タイマーによる排水時間の計測を停止するとともに、待機タイマーによる待機時間の計測を開始し、第３選択スイッチ３５を一旦ＯＦＦとする。この際には、準備表示ランプ３５ａは消灯し、抽出表示ランプ３５ｂが点灯する。その後、マイクロコンピュータは、ステップ４０６にて、第３選択スイッチ３５のスイッチ操作状態を判定し、第３選択スイッチ３５がＯＮしているものと判定した場合には、運転制御プログラムを図８に示すフローチャトへ移行させる。
【００９３】
また、マイクロコンピュータは、ステップ４０６にて、第３選択スイッチ３５がＯＦＦの状態にあるものと判定した場合には、ステップ４０７にて待機タイマーによる計測時間ｔ４が設定されている待機時間Ｔ４に達しているか否かを判定し、計測時間ｔ４が設定されている待機時間Ｔ４に達していないものと判定した場合には、運転制御プログラムをステップ４０６に戻し、計測時間ｔ４が設定されている待機時間Ｔ４に達しているものと判定した場合には、運転制御プログラムをステップ４０８に進め、ステップ４０８にて、待機タイマーによる待機時間の計測を停止するとともに抽出表示ランプ３５ｂを消灯して、運転制御プログラムを滞留水置換運転モードに移行させる。
【００９４】
消費者は、操作盤３０ａにおける抽出表示ランプ３５ｂの点灯に基づき第３選択スイッチ３５をＯＮ操作すると、マイクロコンピュータは、ステップ４０６にて、第３選択スイッチ３５がＯＮしているものと判定し、運転制御プログラムを図８に示すステップ４０９に進めるとともに、ステップ４１０に進める。
【００９５】
マイクロコンピュータは、ステップ４０９では、抽出タイマーによる抽出時間の計測を開始するとともに、待機タイマーによる待機時間の計測を停止し、かつ、第１バルブ２６および第２バルブ２７を開放する。これにより、当該電解水生成装置においては、有隔膜電解槽１１で生成された電解生成アルカリ性水は、第１の抽出管路２２の抽出口部からはアルカリイオン飲用水として抽出され、抽出されたアルカリイオン飲用水は、持参の容器に注入される。また、有隔膜電解層１１で生成された電解生成酸性水は、第２の抽出管路２３の抽出口部から抽出され、備付けの容器に収容されまたは排水される。
【００９６】
マイクロコンピュータは、ステップ４１０では、抽出タイマーの計測時間ｔ５を判定し、計測時間ｔ５が設定されている抽出時間Ｔ５に達した時点で、運転制御プログラムをステップ４１１に進めるとともに、ステップ４１２に進める。マイクロコンピュータは、ステップ４１１では、第１バルブ２６および第２バルブ２７を閉鎖するとともに電極に対する電流印加を停止し、第３選択スイッチ３５をＯＦＦにし、かつ、抽出タイマーによる抽出時間の計測を停止するとともに、待機タイマーによる待機時間の計測を開始する。
【００９７】
また、マイクロコンピュータは、ステップ４１２では、第３選択スイッチ３５のスイッチ操作状態を判定し、第３選択スイッチ３５がＯＮ状態であると判定した場合には、運転制御プログラムを図９に示す運転制御プログラムに進め、第３選択スイッチ３５がＯＦＦ状態であると判定した場合には、運転制御プログラムステップ４１３に進める。
【００９８】
マイクロコンピュータは、ステップ４１３では、待機タイマーの計測時間ｔ４を判定し、計測時間ｔ４が設定されている待機時間Ｔ４に達しているものと判定した場合には、運転制御プログラムをステップ４１４に進めて、ステップ４１４にて、待機タイマーによる待機時間の計測を停止して、運転制御プログラムを滞留水置換モードに移行させる。また、計測時間ｔ４が設定されている待機時間Ｔ４に達していないものと判定した場合には、運転制御プログラムをステップ４１２に戻す。
【００９９】
消費者は、操作盤３０ａにおける抽出表示ランプ３５ｂの点灯に基づき第３選択スイッチ３５をＯＮ操作すると、マイクロコンピュータは、ステップ４１２にて、第３選択スイッチ３５がＯＮしているものと判定し、運転制御プログラムを図９に示すステップ４１５に進めるとともに、ステップ４１６に進める。
【０１００】
マイクロコンピュータは、ステップ４１５では、第１バルブ２６および第２バルブ２７を開放するとともに電極に電流を印加し、かつ、待機タイマーによる待機時間の計測を停止する。これにより、アルカリイオン飲用水が抽出される。また、マイクロコンピュータは、ステップ４１６では、第３選択スイッチ３５のスイッチ操作状態を判定し、第３選択スイッチ３５がＯＦＦ状態であると判定した場合には、ステップ４１７にて、第１バルブ２６および第２バルブ２７を閉鎖するとともに電極に対する電流印加を停止し、かつ、待機タイマーによる計測を開始する。これにより、アルカリイオン飲用水の抽出が停止される。
【０１０１】
マイクロコンピュータは、次いで、運転制御プログラムをステップ４１８に進め、ステップ４１８にて、待機タイマーによる計測時間ｔ４の判定を行う。マイクロコンピュータは、計測時間ｔ４が設定されている待機時間Ｔ４に達しているものと判定した場合には、ステップ４１９にて、待機タイマーによる待機時間の計測を停止して、運転制御プログラムを滞留水置換運転モードに移行させる。
【０１０２】
また、マイクロコンピュータは、計測時間ｔ４が設定されている待機時間Ｔ４に達していないものと判定した場合には、ステップ４２０にて、第３選択スイッチ３５のスイッチ操作状態を判定し、第３選択スイッチ３５がＯＮ状態であると判定した場合には、ステップ４２１にて電極に電流を印加して、運転制御プログラムをステップ４１５に戻し、運転制御プログラムを継続して実行する。また、第３選択スイッチ３５がＯＦＦ状態であると判定した場合には、運転制御プログラムをステップ４１８に戻す。
【０１０３】
制御装置３０ｂは、アルカリイオン飲用水の自動抽出運転モード、手動抽出運転モード、自動−手動抽出運転モードの終了後、運転モードの実行を滞留水置換運転モードに移行させる。制御装置３０ｂを構成するマイクロコンピュータは、滞留水置換運転モードの運転制御プログラムを、図１０に示すフローチャートに基づいて実行する。
【０１０４】
マイクロコンピュータは、運転制御プログラムをステップ５０１およびステップ５０２に進める。マイクロコンピュータは、ステップ５０１では、第２バルブ２７，第３バルブ２８，第４バルブ２９を開放するとともに、置換タイマーによる置換時間の計測を開始して、滞留水置換運転モードの運転制御プログラムの実行を開始する。
【０１０５】
マイクロコンピュータは、ステップ５０２では、置換タイマーによる置換時間ｔ６が設定されている置換時間Ｔ６に達しているものと判定した場合には、運転制御プログラムをステップ５０３に進め、ステップ５０３では、第２バルブ２７，第３バルブ２８，第４バルブ２９を閉鎖するとともに、置換タイマーによる置換時間の計測を停止して、滞留水置換運転モードの実行を終了させる。
【０１０６】
この間、当該電解水生成装置においては、原水である水道水がバイパス管路２４および有隔膜電解槽１１を経由し、第１の抽出管路２２および第２の抽出管路２３に供給される。供給された水道水は、各管路２２，２３内の滞留水を押出して、各バルブ２７，２９を通して排出させる。
【０１０７】
これにより、第１の抽出管路２２および排水管路２５の滞留水は、塩素成分を含有する水道水に置換される。置換された水道水は、塩素成分に起因する殺菌能を有するため、第１の抽出管路２２の抽出口部や排水管路２５の排出口部からの細菌類の侵入を阻止する。この結果、第１の抽出管路２２および排水管路２５内では、細菌類の繁殖が防止されて、これらの管路内は衛生上良好な状態に保持される。なお、置換時間Ｔ６は、浄水器１４以降の水経路内の滞留水を押出すのに要する十分な時間に設定される。
【０１０８】
マイクロコンピュータは、次いで、運転制御プログラムをステップ５０４に進め、ステップ５０４にて、各選択スイッチ３３，３４，３５の操作状態を判定し、各選択スイッチ３３，３４，３５のいずれかがＯＮ状態にあると判定した場合には、ステップ５０５にて、選択された運転モードの運転制御プログラムを実行する。すなわち、マイクロコンピュータは、滞留水置換運転モードの実行を終了して、選択された運転モードの実行に移行する。各選択スイッチ３３，３４，３５のスイッチ操作は、当該電解水生成装置を運転する消費者が行う。
【０１０９】
マイクロコンピュータは、ステップ５０４にて、各選択スイッチ３３，３４，３５のいずれもがＯＦＦ状態にあるもと判定した場合には、ステップ５０６にて、始動スイッチ３２のスイッチ操作状態を判定する。ステップ５０６にて、始動スイッチ３２がＯＮ状態にあると判定した場合には、運転制御プログラムをステップ５０４に戻し、始動スイッチ３２がＯＦＦ状態にあると判定した場合には、ステップ５０７にて、当該電解水生成装置の運転を全て停止する。
【０１１０】
このように、当該電解水生成装置においては、アルカリイオン飲用水の各抽出運転モードの実行終了後に、滞留水置換運転モードを実施することを必須不可欠とするものである。このため、当該電解水生成装置においては、運転可能状態にあって、次のアルカリイオン飲用水の各抽出運転モードの実行のために待機している間、第１の抽出管路２２および排水管路２５内を衛生上良好な状態に保持することができる。
【０１１１】
また、当該電解水生成装置においては、運転停止後に再始動する場合には、アルカリイオン飲用水の各抽出運転モードの実行に先だって洗浄運転モードを実行することを必須不可欠とするものである。このため、当該電解水生成装置においては、アルカリイオン飲用水の各抽出運転モードの実行に先だって、第１の抽出管路２２および排水管路２５内が清浄化されて衛生上良好な状態となる。
【０１１２】
当該電解水生成装置においては、切替スイッチ３１のスイッチ操作は、営業運転モード選択側にロックされていて、消費者による切替スイッチ３１のスイッチ操作が不能になっている。営業運転モードから試験運転モードに切替える場合には、点検作業者が特殊な治具でスイッチ操作のロックを解除して、切替スイッチ３１を切替操作する。点検作業者が切替スイッチ３１を切替操作すると、制御装置３０ｂは動作を開始し、点検作業者が選択した各運転モードに対応する運転制御プログラムを、図１１に示すフローチャートに基づいて、選択された運転モードの運転制御プログラムを実行する。
【０１１３】
マイクロコンピュータは、ステップ６０１において、切替スイッチ３１が試験運転モード側に切替えれたことを確認し、ステップ６０２にて、各選択スイッチのスイッチ操作の有無を判定する。マイクロコンピュータは、ステップ６０２にて、各選択スイッチのいずれかがスイッチ操作されたものと判定した場合には、運転制御プログラムをステップ６０３に進め、選択された運転モードの運転制御プログラムの実行を開始する。
【０１１４】
マイクロコンピュータは、次いで、運転制御プログラムをステップ６０４に進め、ステップ６０４にて、選択スイッチのスイッチ操作が解除された否かを判定し、スイッチ操作が解除されたものと判定した場合には、ステップ６０５にて、実行している運転モードの実行を終了するとともに、待機タイマーによる待機時間の計測を開始する。この間、点検作業者は当該運転モードの運転状態の点検を行う。
【０１１５】
マイクロコンピュータは、次いで、運転制御プログラムをステップ６０６に進め、待機タイマーによる計測時間ｔ７が設定されている待機時間Ｔ７に達したか否かを判定する。計測時間ｔ７が設定されている待機時間Ｔ７に達していないものと判定した場合には、運転制御プログラムをステップ６０２に戻して、運転制御プログラムの実行を継続する。また、計測時間ｔ７が設定された待機時間Ｔ７に達しているものと判定した場合には、運転制御プログラムをステップ６０７に進める。なお、試験運転モードでの待機時間Ｔ７は、例えば１分である。
【０１１６】
マイクロコンピュータは、ステップ６０７では、実行を終了した運転モードが滞留水置換運転モード以外であるか否かを判定し、当該運転モードが滞留水置換運転モード以外であるものと判定した場合には、ステップ６０８にて、待機タイマーによる待機時間の計測を停止して、滞留水置換運転モードの運転制御プログラムを実行する。マイクロコンピュータは、滞留水置換運転モードの運転制御プログラムの実行が終了した時点で、運転制御プログラムをステップ６０９に進め、ステップ６０９にて、切替スイッチ３１を切替操作して運転モードを営業運転モードに切替えて、運転制御プログラムの実行を終了させる。
【０１１７】
また、マイクロコンピュータは、ステップ６０２にて、各選択スイッチのいずれもがスイッチ操作されていないものと判定した場合には、運転制御プログラムをステップ６１０に進め、ステップ６１０にて、待機タイマーによる待機時間の計測を開始し、運転制御プログラムをステップ６０６に戻す。
【０１１８】
このように、当該電解水生成装置においては、運転モードを、営業運転モードおよび試験運転モードに切替可能に構成されていて、試験運転モードを実行した場合、実行すべく選択された最後の運転モードが滞留水置換運転モードでない場合には、選択された運転モードの実行終了後、滞留水置換運転モードの実行を必須不可欠にしている。このため、当該電解水生成装置においては、各運転モードを点検すべく試験運転を実行した後においても、第１の抽出管路２２および排水管路２５内では、細菌類の繁殖が防止されて、これらの管路内は衛生上良好な状態に保持される。
【０１１９】
当該電解水生成装置では、消費者が持参の容器を所望の回数だけ、および／または、各運転モードの終了の都度洗浄することができる実施形態を採ることができる。この場合は、当該電解水生成装置に、洗浄水抽出スイッチＳを追加して、運転制御プログラムを、図１２に示すフローチャートに基づいて実行するようにする。制御装置３０ｂは、洗浄抽出スイッチＳのスイッチ操作状態を判定して、洗浄抽出スイッチＳがＯＮされた場合に、当該運転制御プログラムの実行を開始する。なお、当該フローチャートでは、洗浄抽出スイッチＳを単にスイッチＳと表示している。
【０１２０】
制御装置３０ｂを構成するマイクロコンピュータは、洗浄抽出スイッチＳがＯＮされたことを確認して、運転制御プログラムの実行を開始し、ステップ７０１にて、第１バルブ２６、第２バルブ２７、第３バルブ２８を開放するとともに、洗浄抽出タイマーによる抽出時間ｔの計測を開始し、ステップ７０２にて、抽出時間ｔが設定されている抽出時間Ｔに達しているものと判定した場合には、運転制御プログラムをステップ７０３に進める。
【０１２１】
マイクロコンピュータは、ステップ７０３では、第１バルブ２６、第２バルブ２７、第３バルブ２８を閉鎖するとともに、洗浄抽出タイマーによる抽出時間の計測を停止し、かつ、洗浄抽出スイッチＳをＯＦＦにして、洗浄水抽出運転モードの実行を終了し、運転制御プログラムをステップ７０４に進める。
【０１２２】
マイクロコンピュータは、ステップ７０４では、各選択スイッチ３３〜３５または洗浄抽出スイッチＳのスイッチ操作状態を判定し、これらのいずれかのスイッチがＯＮしているものと判定した場合には、ステップ７０５にて、選択されている運転モードへ移行させる。また、マイクロコンピュータは、ステップ７０４にて、これらのいずれかのスイッチもＯＦＦしているものと判定した場合には、ステップ７０６にて、始動スイッチ３２のスイッチ操作状態を判定する。
【０１２３】
マイクロコンピュータは、ステップ７０６にて、始動スイッチ３２がＯＮしているもの判定した場合には、運転制御プログラムをステップ７０４に戻し、始動スイッチ３２がＯＦＦしているもの判定した場合には、ステップ７０７にて、電解水生成装置の運転の全てを停止する。
【０１２４】
当該電解水生成装置によれば、消費者は、各選択スイッチ３３〜３５のスイッチ操作によって所望の運転モードを任意に選択することができるとともに、選択された運転モードの実行終了時点または実行開始前に、所望のタイミングで、容器の洗浄を任意の回数だけ行うことができる。これにより、消費者の満足度を上げることができる。
【図面の簡単な説明】
【図１】本発明の一例に係る電解水生成装置を示す概略的構成図である。
【図２】同電解水生成装置が有する洗浄運転モードの運転制御プログラムを実行するためのフローチャートである。
【図３】同電解水生成装置が有するアルカリイオン飲用水の自動抽出運転モードの運転制御プログラムの一部を実行するためのフローチャートである。
【図４】同運転制御プログラムの残部を実行するためのフローチャートである。
【図５】同電解水生成装置が有するアルカリイオン飲用水の手動抽出運転モードの運転制御プログラムの一部を実行するためのフローチャートである。
【図６】同運転制御プログラムの残部を実行するためのフローチャートである。
【図７】同電解水生成装置が有するアルカリイオン飲用水の自動−手動抽出運転モードの運転制御プログラムの一部を実行するためのフローチャートの一部である。
【図８】同運転制御プログラムの他の一部を実行するためのフローチャートの一部である。
【図９】同運転制御プログラムの残部を実行するためのフローチャートの一部である。
【図１０】同電解水生成装置が有する滞留水置換運転モードの運転制御プログラムを実行するためのフローチャートである。
【図１１】同電解水生成装置が有する試験運転モードの運転制御プログラムを実行するためのフローチャートである。
【図１２】同電解水生成装置が有する洗浄水抽出付き運転モードの運転制御プログラムを実行するためのフローチャートである。
【符号の説明】
１１…有隔膜電解槽、１２…減圧弁、１３…軟水器、１４…浄水器、１５…減圧弁、２１…供給管路、２２…第１の抽出管路、２３…第２の抽出管路、２４…バイパス管路、２５…排水管路、２６…第１バルブ、２７…第２バルブ、２８…第３バルブ、２９…第４バルブ、３０ａ…操作盤、３０ｂ…制御装置、３１…切替スイッチ、３１ａ，３１ｂ…切替状態表示ランプ、３２…始動スイッチ、３２ａ…始動表示ランプ、３３…第１選択スイッチ、３３ａ…準備表示ランプ、３３ｂ…抽出表示ランプ、３４…第２選択スイッチ、３４ａ…準備表示ランプ、３４ｂ…抽出表示ランプ、３５…第３選択スイッチ、３５ａ…準備表示ランプ、３５ｂ…抽出表示ランプ。
【図１】
2004283748.tif 000003
【図２】
2004283748.tif 000004
【図３】
2004283748.tif 000005
【図４】
2004283748.tif 000006
【図５】
2004283748.tif 000007
【図６】
2004283748.tif 000008
【図７】
2004283748.tif 000009
【図８】
2004283748.tif 000010
【図９】
2004283748.tif 000011
【図１０】
2004283748.tif 000012
【図１１】
2004283748.tif 000013
【図１２】
2004283748.tif 000014